【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
第１のタイプの移動局及び第２のタイプの移動局のうちの少なくとも一方と通信するように動作可能な通信装置であって、
前記第１のタイプの移動局の第１のアップリンク制御チャネル用の第１の周波数リソースをスロットごとに割り当てる手段と、
前記第２のタイプの移動局の第２のアップリンク制御チャネル用の第２の周波数リソースをサブフレームのセットごとに割り当てる手段と、
を備える、通信装置。
【請求項２】
前記通信装置は、前記第１の周波数リソース及び前記第２の周波数リソースを多重化する手段を更に備える、請求項１に記載の通信装置。
【請求項３】
前記第１の周波数リソースは、スロットホッピングに基づいている、請求項１又は２に記載の通信装置。
【請求項４】
前記通信装置は、カバレッジ拡張のレベルに基づいて開始オフセットを適用する手段を更に備える、請求項１〜３のいずれか１項に記載の通信装置。
【請求項５】
前記開始オフセットは、前記第２のタイプの移動局にシグナリングされる、請求項４に記載の通信装置。
【請求項６】
前記開始オフセットはＲＲＣ構成によってシグナリングされる、請求項４に記載の通信装置。
【請求項７】
通信装置と通信するように動作可能な移動局であって、
第１のアップリンク制御チャネル用に割り当てられる第１の周波数リソースをサブフレームのセットごとに決定する手段と、
前記第１の周波数リソースに基づいて前記アップリンク制御チャネルを送信する手段と、
を備える、移動局。
【請求項８】
第１のタイプの移動局及び第２のタイプの移動局のうちの少なくとも一方と通信するように動作可能な通信装置によって実行される方法であって、
前記第１のタイプの移動局の第１のアップリンク制御チャネル用の第１の周波数リソースをスロットごとに割り当てることと、
前記第２のタイプの移動局の第２のアップリンク制御チャネル用の第２の周波数リソースをサブフレームのセットごとに割り当てることと、
を含む、方法。
【請求項９】
通信装置と通信するように動作可能な移動局によって実行される方法であって、
第１のアップリンク制御チャネル用に割り当てられる第１の周波数リソースをサブフレームのセットごとに決定することと、
前記第１の周波数リソースに基づいて前記アップリンク制御チャネルを送信することと、
を含む、方法。
【請求項１０】
請求項８又は９に記載の前記方法をプログラマブル通信デバイスに実行させるコンピューター実施可能命令を含む、プログラム。
【手続補正２】
【補正対象書類名】明細書
【補正対象項目名】００４３
【補正方法】変更
【補正の内容】
【００４３】
通信制御モジュール６３は、通信デバイス３との通信を制御する。通信制御モジュール６３は、この基地局５によってサービングされる通信デバイス３によって用いられるリソースをスケジューリングすることも担当する。図３に示すように、通信制御モジュール６３は、とりわけ、ＥＰＤＣＣＨモジュール部（拡張物理ダウンリンク制御チャネルを通じた通信を管理するためのもの）と、ＰＤＳＣＨモジュール部（物理ダウンリンク共有チャネルを通じた通信を管理するためのもの）と、ＰＵＣＣＨモジュール部（物理アップリンク制御チャネルを通じた通信を管理するためのもの）とを含む。
【手続補正３】
【補正対象書類名】明細書
【補正対象項目名】００４４
【補正方法】変更
【補正の内容】
【００４４】
ＵＥカテゴリー確定モジュール６５は、例えば、通信デバイス３及び／又は別のネットワークノード（例えば、ＨＳＳ）から取得された情報に基づいて、基地局５によってサービングされた通信デバイス３のカテゴリーを確定する。適切な場合には、ＵＥカテゴリー確定モジュール６５は、各サービングされた通信デバイスのカテゴリーを識別する情報を他のモジュール、例えば、通信制御モジュール６３に提供し、それによって、これらの他のモジュールが自身の動作をそれに応じて調整することができるようにする。
【手続補正４】
【補正対象書類名】明細書
【補正対象項目名】００４８
【補正方法】変更
【補正の内容】
【００４８】
セルの帯域幅は、複数（「Ｎ＿ＲＢ」個）の物理リソースブロック（すなわち、図４に示すセルリソースブロック＃０〜＃Ｎ＿ＲＢ−１。ここで、「Ｎ＿ＲＢ」は、スロット当たりの物理リソースブロックの総数を示す）を含む。上記で説明したように、ＰＵＣＣＨは、通常、利用可能なセル帯域幅のエッジに（又はエッジの近くに）配置される。潜在的なＰＵＣＣＨ送信用のスロット内の物理リソースブロックの数は、上位レイヤシグナリングによって「push-HoppingOffset」パラメーター（図４に「Ｎ＿ＨＯ＿ＲＢ」で示す）を用いて構成されている。「push-HoppingOffset」パラメーターの値は、基地局のセルにおいて当該基地局によってサービングされる通信デバイスの数に依存することが理解されるであろう。図４に示す例では、Ｎ＿ＨＯ＿ＲＢ＝１２である。すなわち、この例におけるＰＵＣＣＨは、合計１２個（各スロットの各エッジに６つ）のリソースブロックを含む。したがって、合計１２個のリソースブロックが、ＰＵＣＣＨ用に割り当てられる（ただし、各サブフレームでは、用いられるリソースブロックの実際の数は、その特定のサブフレームにおいてスケジューリングされた通信デバイスの数に依存するので、これらのリソースブロックの全てがあらゆるスロットにおいて必ずしも用いられるとは限らない）。「push-HoppingOffset」パラメーターは、ＲＲＣ構成シグナリングを用いてＵＥにシグナリングすることができる。
【手続補正５】
【補正対象書類名】明細書
【補正対象項目名】０１１７
【補正方法】変更
【補正の内容】
【０１１７】
（付記１９）
通信システムのマシンタイプ通信（ＭＴＣ）デバイスであって、
無線フレームを用いて、通信ノードによって運用されるセル内でその通信ノードと通信する手段であって、各無線フレームはサブフレームのシーケンスを含む、手段と、
ダウンリンク共有チャネルシグナリングに関連したアップリンク制御情報を送信する際に用いられる該ＭＴＣデバイスのリソースの準静的な割り当てを受信する手段と、
を備え、
上記通信する手段は、
該ＭＴＣデバイスのダウンリンク共有チャネルシグナリングをサブフレームにおいて受信することと、
上記ダウンリンク共有チャネルシグナリングが受信される上記サブフレームの後続のサブフレームにおいて、上記準静的に割り当てられたリソースを用いて、上記ダウンリンク共有チャネルシグナリングに関連したアップリンク制御情報を上記通信ノードに提供することであって、該アップリンク制御情報が提供される上記サブフレームは、上記ダウンリンク共有チャネルシグナリングが受信される上記サブフレームの後続の複数のサブフレームのうちの４番目のものであることと、
を行うように動作可能である、ＭＴＣデバイス。
【手続補正６】
【補正対象書類名】明細書
【補正対象項目名】０１２６
【補正方法】変更
【補正の内容】
【０１２６】
（付記２８）
通信システムのマシンタイプ通信（ＭＴＣ）デバイスによって実行される方法であって、
無線フレームを用いて、通信ノードによって運用されるセル内でその通信ノードと通信することであって、各無線フレームはサブフレームのシーケンスを含むことと、
ダウンリンク共有チャネルシグナリングに関連したアップリンク制御情報を送信する際に用いられる上記ＭＴＣデバイスのリソースの準静的な割り当てを受信することと、
を含み、
上記通信することは、
上記ＭＴＣデバイスのダウンリンク共有チャネルシグナリングをサブフレームにおいて受信することと、
上記ダウンリンク共有チャネルシグナリングが受信される上記サブフレームの後続のサブフレームにおいて、上記準静的に割り当てられたリソースを用いて、上記ダウンリンク共有チャネルシグナリングに関連したアップリンク制御情報を上記通信ノードに提供することであって、該アップリンク制御情報が提供される上記サブフレームは、上記ダウンリンク共有チャネルシグナリングが受信される上記サブフレームの後続の複数のサブフレームのうちの４番目のものであることと、
を含む、方法。